(57)【要約】【課題】シート状物の搬送方向前方側の端部の損傷の抑制及び曲がりのない状態でのシート状物の搬送を可能にする搬送装置を提供する。【解決手段】折丁１を搬送する上流側上下ベルト１９，２９と、上流側上下ベルト１９，２９の下流側に連絡し、上流側上下ベルト１９，２９よりも遅い速度で走行して上流側上下ベルト１９，２９から折丁１を受け取って搬送する下流側上下ベルト３９，４９と、下流側上下ベルト３９，４９の折丁１の搬送経路上に出没して折丁１の搬送方向前方側の端部と当接するストッパ５３ａを有するスローダウンホイール５３とを備えている搬送装置において、スローダウンホイール５３のストッパ５３ａと折丁１の搬送方向前方側の端部とが当接している間に、下流側上ベルト３９に対して下流側下ベルト４９を押し上げる押圧面６１ａを有する押圧カム６１を備えた。【選択図】図４
2008007293.tif 000002
【特許請求の範囲】
【請求項１】
シート状物を搬送する上流側搬送手段と、
前記上流側搬送手段の下流側に連絡し、当該上流側搬送手段よりも遅い速度で走行する対をなす下流側上ベルトと下流側下ベルトとの間に当該上流側搬送手段からの前記シート状物を受け取って搬送する下流側搬送手段と、
前記下流側搬送手段の前記シート状物の搬送経路上に出没して当該シート状物の搬送方向前方側の端部と当接する出没手段と
を備えている搬送装置において、
前記出没手段と前記シート状物の搬送方向前方側の端部とが当接している間に、前記下流側搬送手段の前記下流側上ベルト及び前記下流側下ベルトの少なくとも一方の上記ベルトを他方の上記ベルト側に移動させる下流側ベルト移動手段を備えた
ことを特徴とする搬送装置。
【請求項２】
請求項１において、
前記下流側搬送手段が、対をなす前記下流側上ベルトと前記下流側下ベルトとを当該ベルトの幅方向に複数組有するものであり、
前記出没手段が、前記下流側搬送手段の前記ベルトの幅方向に隣り合う間から前記シート状物の搬送経路上に出没するものである
ことを特徴とする搬送装置。
【請求項３】
請求項１において、
前記下流側ベルト移動手段が、
回転可能な支持軸と、
前記支持軸に支持されて前記下流側搬送手段の前記下流側上ベルト及び前記下流側下ベルトの一方を押圧する円弧状をなす押圧面を有する回転体と
を備えていることを特徴とする搬送装置。
【請求項４】
請求項３において、
前記出没手段が、
回転可能な支持軸と、
前記支持軸に支持されて前記シート状物の搬送経路上に出没可能なストッパ部材と
を備え、
前記出没手段の前記支持軸と前記下流側ベルト移動手段の前記支持軸とが同一である
ことを特徴とする搬送装置。
【発明の詳細な説明】
【技術分野】
【０００１】
本発明は、上流側搬送手段よりも遅い速度で走行する下流側搬送手段の対をなす下流側上ベルトと下流側下ベルトとの間に上流側搬送手段からのシート状物を受け取って、下流側搬送手段のシート状物の搬送経路上に出没手段を出没させてシート状物の搬送方向前方側の端部に当接させるようにした搬送装置に関し、特に、輪転印刷機等に付設された折機で折りたたまれた折丁を搬送する場合に適用すると有効である。
【背景技術】
【０００２】
輪転印刷機には、印刷されたウエブを折りたたむ折機が一般的に付設されている。このような折機においては、折工程に入る前に折丁の搬送速度を遅くするための搬送装置を設けたものがある。このような折機に設けられる搬送装置の一例を図５に示す。
【０００３】
図５において、１１１〜１１３は上流側上ローラ、１１４〜１１６は上流側下ローラ、１１８は上流側上ベルト、１１９は上流側下ベルト、１２１〜１２３は下流側上ローラ、１２５〜１２７は下流側下ローラ、１２８は下流側上ベルト、１２９は下流側下ベルト、１３１は駆動軸、１３２は円板、１３３はストッパである。
【０００４】
上流側上ローラ１１１〜１１３は、図示しない支持軸に軸心方向へ所定の間隔でそれぞれ回転可能に複数配設されている。上流側下ローラ１１４〜１１６は、上記ローラ１１１〜１１３と同一鉛直平面上に位置するように図示しない支持軸に軸心方向へ上記ローラ１１１〜１１３と同一間隔でそれぞれ回転可能に複数配設されている。
【０００５】
上流側上ベルト１１８は、上流側上ローラ１１１〜１１３間を連絡するようにこれらローラ１１１〜１１３にそれぞれ掛けられている。上流側下ベルト１１９は、上流側下ローラ１１４〜１１６間を連絡するようにこれらローラ１１４〜１１６にそれぞれ掛けられ、上記上流側上ベルト１１８と各々対面して折丁を挟むことができるようになっている。
【０００６】
下流側上ローラ１２１〜１２３は、隣り合う上流側上ローラ１１１〜１１３間の鉛直平面上に位置するように、図示しない支持軸にそれぞれ回転可能に複数配設され、下流側上ローラ１２１のみが上流側上ローラ１１３よりも上流側に位置している。下流側下ローラ１２５〜１２７は、上記ローラ１２１〜１２３と同一鉛直平面上にそれぞれ位置するように図示しない支持軸にそれぞれ回転可能に複数配設され、下流側下ローラ１２５のみが上流側下ローラ１１６よりも上流側に位置している。
【０００７】
下流側上ベルト１２８は、下流側上ローラ１２１〜１２３間を連絡するようにこれらローラ１２１〜１２３にそれぞれ掛けられ、隣り合う上流側上ベルト１１８間にその上流部分が入り込む、すなわち、当該上流部分が上流側上ベルト１１８と水平方向で重なるようになっている。下流側下ベルト１２９は、下流側下ローラ１２５〜１２７間を連絡するようにこれらローラ１２５〜１２７にそれぞれ掛けられ、隣り合う上流側下ベルト１１９間にその上流部分が入り込む、すなわち、当該上流部分が上流側下ベルト１１９と水平方向で重なって、上記下流側上ベルト１２８と各々対面して折丁を挟むことができるようになっている。
【０００８】
駆動軸１３１は、下流側下ローラ１２５〜１２７間の上流側下ローラ１１６の下流側に位置するように配設されている。円板１３２は、隣り合う下流側下ベルト１２９間にそれぞれ位置するように駆動軸１３１に同軸をなして複数取り付けられている。ストッパ１３３は、隣り合う下流側下ベルト１２９間から上方に突出できるように各円板１３２の外周面にそれぞれ立設されている。
【０００９】
このような搬送装置において、上流側上ベルト１１８及び上流側下ベルト１１９を同速度で走行させ、下流側上ベルト１２８及び下流側下ベルト１２９を上記ベルト１１８，１１９よりも遅い所定の同一速度で走行させると共に円板１３２を回転させると、上記ベルト１１８，１１９間に挟まれて搬送されてきた折丁は、上記ベルト１２８，１２９間に受け渡され、搬送方向前方側の端部がストッパ１３３に当接して、姿勢（搬送方向に対する曲がり）を矯正されると共に搬送タイミングを調整されることにより、所定の間隔につめられながら整列された状態で上記ベルト１２８，１２９によって搬送されるようになっている（例えば、下記特許文献１，２等参照）。
【００１０】
【特許文献１】特公平０２−０６２４５６号公報
【特許文献２】特開平１１−０６００５６号公報
【発明の開示】
【発明が解決しようとする課題】
【００１１】
前述したように、従来の搬送装置においては、上流側の前記ベルト１１８，１１９で搬送されてきた折丁を当該ベルト１１８，１１９よりも遅い速度の下流側の前記ベルト１２８，１２９に受け渡すときに、隣り合う下流側下ベルト１２９の各間から上方にそれぞれ突出するストッパ１３３に折丁の搬送方向前方側の端部を当接させて、当該折丁の曲がりの修正及び搬送タイミングの調整を行っていることから、折丁の曲がり具合や受け渡しタイミング等によっては、折丁の搬送方向前方側の端部が、上流側の前記ベルト１１８，１１９による搬送時の慣性力によって、上記ストッパ１３３の幅方向のエッジ部分に押し付けられて、傷ついてしまう場合があった。
【００１２】
このような問題は、輪転印刷機に付設された折機で折りたたまれた折丁を搬送する前述したような搬送装置に限らず、上流側搬送手段よりも遅い速度で走行する下流側搬送手段の対をなす下流側上ベルトと下流側下ベルトとの間に上流側搬送手段からのシート状物を受け取って、下流側搬送手段のシート状物の搬送経路上に出没手段を出没させてシート状物の搬送方向前方側の端部に当接させるようにした搬送装置であれば、上述と同様にして起こり得ることであった。
【００１３】
このようなことから、本発明は、シート状物の搬送方向前方側の端部の損傷及びシート状物の慣性力を抑制することができる搬送装置を提供することを目的とする。
【課題を解決するための手段】
【００１４】
前述した課題を解決するための、本発明に係る搬送装置は、シート状物を搬送する上流側搬送手段と、前記上流側搬送手段の下流側に連絡し、当該上流側搬送手段よりも遅い速度で走行する対をなす下流側上ベルトと下流側下ベルトとの間に当該上流側搬送手段からの前記シート状物を受け取って搬送する下流側搬送手段と、前記下流側搬送手段の前記シート状物の搬送経路上に出没して当該シート状物の搬送方向前方側の端部と当接する出没手段とを備えている搬送装置において、前記出没手段と前記シート状物の搬送方向前方側の端部とが当接している間に、前記下流側搬送手段の前記下流側上ベルト及び前記下流側下ベルトの少なくとも一方の上記ベルトを他方の上記ベルト側へ移動させる下流側ベルト移動手段を備えたことを特徴とする。
【００１５】
また、本発明に係る搬送装置は、上述した搬送装置において、前記下流側搬送手段が、対をなす前記下流側上ベルトと前記下流側下ベルトとを当該ベルトの幅方向に複数組有するものであり、前記出没手段が、前記下流側搬送手段の前記ベルトの幅方向に隣り合う間から前記シート状物の搬送経路上に出没するものであることを特徴とする。
【００１６】
また、本発明に係る搬送装置は、上述した搬送装置において、前記下流側ベルト移動手段が、回転可能な支持軸と、前記支持軸に支持されて前記下流側搬送手段の前記下流側上ベルト及び前記下流側下ベルトの一方を押圧する円弧状をなす押圧面を有する回転体とを備えていることを特徴とする。
【００１７】
また、本発明に係る搬送装置は、上述した搬送装置において、前記出没手段が、回転可能な支持軸と、前記支持軸に支持されて前記シート状物の搬送経路上に出没可能なストッパ部材とを備え、前記出没手段の前記支持軸と前記下流側ベルト移動手段の前記支持軸とが同一であることを特徴とする。
【発明の効果】
【００１８】
本発明に係る搬送装置によれば、下流側ベルト移動手段が、出没手段とシート状物の搬送方向前方側の端部とが当接している間に、下流側上ベルト及び下流側下ベルトの少なくとも一方を他方側に移動させることから、シート状物の搬送方向前方側の端部に作用する、上流側搬送手段による慣性力を必要最小限に抑えることができ、出没手段とシート状物の搬送方向前方側の端部との衝突によるシート状物の搬送方向前方側の端部の傷付きを抑制することができると共に、シート状物を曲がりのない状態で下流側上下ベルトによって搬送することができる。
【発明を実施するための最良の形態】
【００１９】
本発明に係る搬送装置を、輪転印刷機等に付設された折機で折りたたまれた折丁を搬送する際に適用した場合の実施形態を図１〜４に基づいて説明する。図１は、搬送装置の要部の概略構造図、図２は、図１の要部の平面図、図３は、図１の要部の抽出拡大図、図４は、図１の要部の作用説明図である。
【００２０】
図１において、１１は渡胴、１２，１３は上流側上ローラ、１９は上流側上ベルト、２１〜２５は上流側下ローラ、２９は上流側下ベルト、３１〜３３は下流側上ローラ、３９は下流側上ベルト、４１〜４４は下流側下ローラ、４９は下流側下ベルトである。
【００２１】
上流側上ローラ１２，１３は、図示しない支持軸に軸心方向へ所定の間隔でそれぞれ回転可能に複数配設されている。上流側上ベルト１９は、渡胴１１及び上流側上ローラ１２，１３間を連絡するように当該渡胴１１及び当該ローラ１２，１３にそれぞれ掛け渡されている。
【００２２】
上流側下ローラ２１〜２５は、上記ローラ１２，１３と同一鉛直平面上に位置するように図示しない支持軸に軸心方向へ上記ローラ１２，１３と同一間隔でそれぞれ回転可能に複数配設されている。上流側下ベルト２９は、上流側下ローラ２１〜２５間を連絡するように当該ローラ２１〜２５にそれぞれ掛け渡され、上記上流側上ベルト１９と各々対をなすように対面してシート状物である折丁を挟むことができるようになっている。
【００２３】
下流側上ローラ３１〜３３は、前記上流側上ベルト１９間に位置するように、図示しない支持軸にそれぞれ回転可能に複数配設され、下流側上ローラ３１が上流側上ローラ１２，１３よりも上流側に位置している。下流側上ベルト３９は、下流側上ローラ３１〜３３及び図示しない他の下流側上ローラ間を連絡するように当該ローラ３１〜３３等にそれぞれ掛け渡され、隣り合う上流側上ベルト１９間にその上流部分が入り込む、すなわち、当該上流部分が上流側上ベルト１９と水平方向で重なるようになっている。
【００２４】
下流側下ローラ４１〜４４は、上記ローラ３１〜３３と同一鉛直平面上にそれぞれ位置するように図示しない支持軸にそれぞれ回転可能に複数配設されると共に、下流側下ローラ４１が上流側下ローラ２３の前記支持軸と同一の支持軸に回転自在に支持されている。下流側下ベルト４９は、下流側下ローラ４１〜４４及び図示しない他の下流側下ローラ間を連絡するように当該ローラ４１〜４４等にそれぞれ掛け渡され、隣り合う上流側下ベルト２９間にその上流部分が入り込む、すなわち、当該上流部分が上流側下ベルト２９と水平方向で重なって、上記下流側上ベルト３９と各々対をなすように対面して折丁を挟むことができるようになっている。
【００２５】
また、前記下流側上ローラ３１〜３３のうちの最も上流側に位置する下流側上ローラ３１は、前記下流側上ベルト３９の最も上流側に位置する部分が上流側上ベルト１９よりも上方に位置するように、その位置が設定されている。他方、前記上流側上ローラ１２，１３のうちの最も下流側に位置する上流側上ローラ１２は、前記上流側上ベルト１９の最も下流側に位置する部分が下流側上ベルト３９よりも上方に位置するように、その位置が設定されている。
【００２６】
このような本実施形態では、渡胴１１、上流側上ローラ１２，１３、上流側上ベルト１９、上流側下ローラ２１〜２５、上流側下ベルト２９等により上流側搬送手段を構成し、下流側上ローラ３１〜３３、下流側上ベルト３９、下流側下ローラ４１〜４４、下流側下ベルト４９等により下流側搬送手段を構成している。
【００２７】
図１〜３に示すように、上流側上下ベルト１９，２９と下流側上下ベルト３９，４９との連絡部分近傍となる下流側下ローラ４１の下流側近傍には、フレーム１０ａ，１０ｂに軸受５２ａ，５２ｂを介して軸端を回転可能に支持された支持軸５１が配設されている。支持軸５１には、下流側下ベルト４９の幅方向に隣り合う間から折丁１の搬送経路上に所定の周期で出没して当該折丁１の搬送方向前方側の端部と当接するストッパ部材であるストッパ５３ａを外周面に有するホイールであるスローダウンホイール５３が下流側下ベルト４９の幅方向に隣り合う間にそれぞれ位置するように当該支持軸５１に複数支持されている。
【００２８】
また、図１〜４に示すように、前記支持軸５１の、各前記下流側下ベルト４９の下方位置には、前記スローダウンホイール５３のストッパ５３ａと折丁１の搬送方向前方側の端部とが当接した直後に、対をなす前記下流側上ベルト３９と前記下流側下ベルト４９とで当該折丁１を拘持させるように、すなわち、前記下流側上ベルト３９に対して前記下流側下ベルト４９を接近移動させるように、当該下流側下ベルト４９をそれぞれ所定の周期で押圧すると共に、当該折丁１がスローダウンホイール５３よりも搬送方向下流側にまで搬送されたときに、対をなす前記下流側上ベルト３９と前記下流側下ベルト４９とによる拘持から当該折丁１を開放するように、すなわち、前記下流側上ベルト３９と前記下流側下ベルト４９とを当初の位置に戻すように、当該下流側下ベルト４９からそれぞれ所定の周期で離れる円弧状をなす押圧面６１ａを外周に有する回転体である押圧カム６１が当該支持軸５１に複数支持されている。
【００２９】
前記支持軸５１の一方の軸端（図２中、右側）には、前記下流側上下ベルト３９，４９を走行駆動させるモータ５０に連絡するギア５４が同軸をなして取り付けられており、当該モータ５０の駆動により、前記下流側上下ベルト３９，４９の走行速度と同じ所定周期の周速度で前記スローダウンホイール５３及び前記押圧カム６１を回転させることができるようになっている。
【００３０】
このような本実施形態では、モータ５０、支持軸５１、軸受５２ａ，５２ｂ、スローダウンホイール５３等により出没手段を構成し、モータ５０、支持軸５１、軸受５２ａ，５２ｂ、押圧カム６１等により下流側ベルト移動手段を構成している。
【００３１】
なお、図２中、７１は、前記下流側下ベルト４９の下方に配設されて前記スローダウンホイール５３及び前記押圧カム６１を貫通させる穴７１ａを有するガイドテーブル、７２は、ガイドテーブル７１を前記フレーム１０ａ，１０ｂに支持する支持ビームである。
【００３２】
このような本実施形態に係る搬送装置において、上流側上ベルト１９及び上流側下ベルト２９を同速度で走行させ、下流側上ベルト３９及び下流側下ベルト４９を上記ベルト１９，２９よりも遅い所定の同一速度で走行させると共に前記支持軸５１を回転させると、上記ベルト１９，２９間に挟まれて搬送されてきた折丁１は、上記ベルト３９，４９間に受け渡されると共に、搬送方向前方側の端部が、下流側下ベルト４９の幅方向に隣り合う間から突出してきたスローダウンホイール５３のストッパ５３ａに当接して、姿勢（搬送方向に対する曲がり）を矯正されると共に搬送タイミングを調整される（図３参照）。
【００３３】
ここで、折丁２の搬送方向前方側の端部がスローダウンホイール５３のストッパ５３ａに当接した直後に、押圧カム６１の押圧面６１ａが下流側下ベルト４９に接触し、当該下流側下ベルト４９を押し上げることにより、当該下流側下ベルト４９が前記下流側上ベルト３９に対して接近移動して、当該下流側上ベルト３９と当該下流側下ベルト４９とが折丁１の搬送方向前方側の端部よりも搬送方向後方側を拘持する（図４参照）。
【００３４】
そして、スローダウンホイール５３のストッパ５３ａが折丁１の搬送方向前方側の端部から離れ、当該折丁１がスローダウンホイール５３よりも搬送方向下流側にまで搬送されると、押圧カム６１の押圧面６１ａが終了し、前記下流側下ベルト４９が当初の位置に戻る。
【００３５】
以下、スローダウンホイール５３及び押圧カム６１は、上述した作動を繰り返す。
【００３６】
つまり、本実施形態に係る搬送装置においては、スローダウンホイール５３のストッパ５３ａと折丁１の搬送方向前方側の端部とが当接している間に、下流側上ベルト３９と下流側下ベルト４９とで折丁１を拘持するようにしたのである。
【００３７】
このため、本実施形態に係る搬送装置では、折丁１の搬送方向前方側の端部に作用する、上流側の前記ベルト１９，２９による慣性力を必要最小限に抑えることができる。
【００３８】
したがって、本実施形態に係る搬送装置によれば、スローダウンホイール５３のストッパ５３ａとの衝突による折丁１の搬送方向前方側の端部の傷付きを抑制することができると共に、折丁１を曲がりのない状態で前記ベルト３９，４９によって搬送することができる。
【００３９】
なお、本実施形態においては、スローダウンホイール５３のストッパ５３ａと折丁１の搬送方向前方側の端部とが当接した直後に、下流側下ベルト４９をそれぞれ所定の周期で押圧する押圧面６１ａを有する押圧カム６１を適用するようにしたが、スローダウンホイール５３のストッパ５３ａと折丁１の搬送方向前方側の端部とが当接している間に、下流側下ベルト４９をそれぞれ所定の周期で押圧する押圧面を有する押圧カムであれば、スローダウンホイール５３のストッパ５３ａとの衝突による折丁１の搬送方向前方側の端部の傷付きを抑制することができると共に、折丁１を曲がりのない状態で前記ベルト３９，４９によって搬送することができる。しかしながら、本実施形態のように、スローダウンホイール５３のストッパ５３ａと折丁１の搬送方向前方側の端部とが当接した直後に、下流側下ベルト４９をそれぞれ所定の周期で押圧する押圧面６１ａを有する押圧カム６１を適用すれば、折丁１の搬送方向前方側の端部に作用する、上流側の前記ベルト１９，２９による慣性力を必要最小限に抑えることができ、スローダウンホイール５３のストッパ５３ａとの衝突による折丁１の搬送方向前方側の端部の傷付きを最小限に抑制することができるので、最も好ましい。
【００４０】
また、本実施形態においては、折丁１がスローダウンホイール５３よりも搬送方向下流側にまで搬送されたときに、前記下流側下ベルト４９を当初の位置に戻すように押圧面６１ａが終了する押圧カム６１を適用するようにしたが、他の実施形態として、例えば、スローダウンホイール５３のストッパ５３ａが折丁１の搬送方向前方側の端部から離れたときに、前記下流側下ベルト４９を当初の位置に戻すように押圧面が終了する押圧カムを適用することや、折丁１の搬送方向前方側の端部よりも搬送方向後方側を下流側上ベルト３９と下流側下ベルト４９とで拘持した直後に、前記下流側下ベルト４９を当初の位置に戻すように押圧面が終了する押圧カムを適用することも可能である。つまり、折丁１の搬送方向前方側の端部よりも搬送方向後方側を下流側上ベルト３９と下流側下ベルト４９とで拘持した直後から、スローダウンホイール５３のストッパ５３ａに折丁１の搬送方向前方側の端部が当接する直前までの間に、前記下流側下ベルト４９を当初の位置に戻すように押圧面が終了する押圧カムであれば、本実施形態の場合と同様な作用効果を得ることができる。
【００４１】
また、本実施形態においては、下流側ベルト移動手段として、支持軸５１に支持されて円弧状をなす押圧面６１ａを外周に有する押圧カム６１を適用することにより、対をなす下流側上ベルト３９と下流側下ベルト４９とで折丁１を拘持させるように下流側上ベルト３９に対して下流側下ベルト４９を接近移動させる場合について説明したが、他の実施形態として、例えば、ロッドの先端に押圧ローラを回転可能に支持したエアシリンダを下流側ベルト移動手段として適用し、当該ロッドを伸長して当該押圧ローラを下流側下ベルト４９に接触させ、当該下流側下ベルト４９を押し上げることにより、対をなす下流側上ベルト３９と下流側下ベルト４９とで折丁１を拘持させるように下流側上ベルト３９に対して下流側下ベルト４９を接近移動させることも可能である。
【００４２】
また、本実施形態においては、下流側下ベルト４９を押し上げることにより、対をなす下流側上ベルト３９と下流側下ベルト４９とで折丁１を拘持させるように下流側上ベルト３９に対して下流側下ベルト４９を接近移動させるようにしたが、他の実施形態として、例えば、下流側上ベルト３９を押し下げることにより、対をなす下流側上ベルト３９と下流側下ベルト４９とで折丁１を拘持させるように下流側下ベルト４９に対して下流側上ベルト３９を接近移動させることや、下流側上ベルト３９を押し下げると共に下流側上ベルト３９を押し下げることにより、対をなす下流側上ベルト３９と下流側下ベルト４９とで折丁１を拘持させるように下流側下ベルト４９と下流側上ベルト３９とを接近移動させることも可能である。
【００４３】
また、本実施形態においては、押圧カム６１とスローダウンホイール５３とを同一の支持軸５１に設けるようにしたが、他の実施形態として、例えば、押圧カム６１とスローダウンホイール５３とをそれぞれ異なる支持軸に設けることも可能である。
【００４４】
また、本実施形態においては、ストッパ５３ａを外周面に有するスローダウンホイール５３を支持軸５１に取り付けるようにしたが、他の実施形態として、例えば、ホイールを省略してホイールを介することなく支持軸にストッパ部材を直接取り付けるようにすることも可能である。
【００４５】
また、本実施形態においては、幅方向に複数組配列された上流側上下ベルト１９，２９の幅方向に隣り合う間に位置するように下流側上下ベルト３９，４９を幅方向に複数組配列し、当該下流側上下ベルト３９，４９の幅方向に隣り合う間からスローダウンホイール５３のストッパ５３ａを突出させるようにしたが、他の実施形態として、例えば、幅方向に二組配列された上流側上下ベルトの幅方向に隣り合う間に位置するように一組の下流側上下ベルトを配列し、下流側下ベルトの搬送方向最上流位置で折丁１の搬送経路上にスローダウンホイールのストッパを突出させるようにすることも可能である。
【００４６】
また、本実施形態においては、輪転印刷機等に付設された折機で折りたたまれた折丁を搬送する搬送装置に適用した場合について説明したが、本発明に係る搬送装置は、このような場合に限らず、上流側搬送手段よりも遅い速度で走行する下流側搬送手段の対をなす下流側上ベルトと下流側下ベルトとの間に上流側搬送手段からのシート状物を受け取って、下流側搬送手段のシート状物の搬送経路上に出没手段を出没させてシート状物の搬送方向前方側の端部に当接させるようにした搬送装置であれば、本実施形態の場合と同様にして適用することができる。
【産業上の利用可能性】
【００４７】
本発明に係る搬送装置は、例えば、輪転印刷機等に付設された折機で折りたたまれた折丁を搬送する場合に適用すると、折丁の搬送方向前方側の端部の傷付きを抑制することができるので、印刷産業等において、極めて有効に利用することができる。
【図面の簡単な説明】
【００４８】
【図１】本発明に係る搬送装置の実施形態の要部の概略構造図である。
【図２】図１の要部の平面図である。
【図３】図１の要部の抽出拡大図である。
【図４】図１の要部の作用説明図である。
【図５】従来の搬送装置の一例の要部の概略構造図である。
【符号の説明】
【００４９】
１  折丁
１０ａ，１０ｂ  フレーム
１１  渡胴
１２，１３  上流側上ローラ
１９  上流側上ベルト
２１〜２５  上流側下ローラ
２９  上流側下ベルト
３１〜３３  下流側上ローラ
３９  下流側上ベルト
４１〜４４  下流側下ローラ
４９  下流側下ベルト
５０  モータ
５１  支持軸
５２ａ，５２ｂ  軸受
５３  スローダウンホイール
５３ａ  ストッパ
５４  ギア
６１  押圧カム
６１ａ  押圧面
７１  ガイドテーブル
７１ａ  穴
７２  支持ビーム
【図１】
2008007293.tif 000003
【図２】
2008007293.tif 000004
【図３】
2008007293.tif 000005
【図４】
2008007293.tif 000006
【図５】
2008007293.tif 000007
【手続補正書】
【提出日】平成19年6月4日(2007.6.4)
【手続補正１】
【補正対象書類名】特許請求の範囲
【補正対象項目名】全文
【補正方法】変更
【補正の内容】
【特許請求の範囲】
【請求項１】
シート状物を搬送する上流側搬送手段と、
前記上流側搬送手段の下流側に連絡し、当該上流側搬送手段からの前記シート状物を受け取って当該上流側搬送手段よりも遅い速度で走行する対をなす下流側上ベルトと下流側下ベルトとからなる下流側搬送手段と、
前記下流側搬送手段の前記シート状物の搬送経路上に出没して当該シート状物の搬送方向前方側の端部と当接する出没手段と
を備えている搬送装置において、
前記出没手段と前記シート状物の搬送方向前方側の端部とが当接している間に、前記下流側搬送手段の前記下流側上ベルト及び前記下流側下ベルトの少なくとも一方の前記ベルトを他方の前記ベルト側に移動させる下流側ベルト移動手段を備えた
ことを特徴とする搬送装置。
【請求項２】
請求項１において、
前記下流側搬送手段が、対をなす前記下流側上ベルトと前記下流側下ベルトとを当該ベルトの幅方向に複数組有するものであり、
前記出没手段が、前記下流側搬送手段の前記ベルトの幅方向に隣り合う間から前記シート状物の搬送経路上に出没するものである
ことを特徴とする搬送装置。
【請求項３】
請求項１において、
前記下流側ベルト移動手段が、
回転可能な支持軸と、
前記支持軸に支持されて前記下流側搬送手段の前記下流側上ベルト及び前記下流側下ベルトの一方を押圧する円弧状をなす押圧面を有する回転体と
を備えていることを特徴とする搬送装置。
【請求項４】
請求項３において、
前記出没手段が、
回転可能な支持軸と、
前記支持軸に支持されて前記シート状物の搬送経路上に出没可能なストッパ部材と
を備え、
前記出没手段の前記支持軸と前記下流側ベルト移動手段の前記支持軸とが同一である
ことを特徴とする搬送装置。
【手続補正２】
【補正対象書類名】明細書
【補正対象項目名】００１４
【補正方法】変更
【補正の内容】
【００１４】
前述した課題を解決するための、本発明に係る搬送装置は、シート状物を搬送する上流側搬送手段と、前記上流側搬送手段の下流側に連絡し、当該上流側搬送手段からの前記シート状物を受け取って当該上流側搬送手段よりも遅い速度で走行する対をなす下流側上ベルトと下流側下ベルトとからなる下流側搬送手段と、前記下流側搬送手段の前記シート状物の搬送経路上に出没して当該シート状物の搬送方向前方側の端部と当接する出没手段とを備えている搬送装置において、前記出没手段と前記シート状物の搬送方向前方側の端部とが当接している間に、前記下流側搬送手段の前記下流側上ベルト及び前記下流側下ベルトの少なくとも一方の前記ベルトを他方の前記ベルト側へ移動させる下流側ベルト移動手段を備えたことを特徴とする。
【手続補正３】
【補正対象書類名】明細書
【補正対象項目名】００３３
【補正方法】変更
【補正の内容】
【００３３】
ここで、折丁１の搬送方向前方側の端部がスローダウンホイール５３のストッパ５３ａに当接した直後に、押圧カム６１の押圧面６１ａが下流側下ベルト４９に接触し、当該下流側下ベルト４９を押し上げることにより、当該下流側下ベルト４９が前記下流側上ベルト３９に対して接近移動して、当該下流側上ベルト３９と当該下流側下ベルト４９とが折丁１の搬送方向前方側の端部よりも搬送方向後方側を拘持する（図４参照）。
【手続補正４】
【補正対象書類名】明細書
【補正対象項目名】００４２
【補正方法】変更
【補正の内容】
【００４２】
また、本実施形態においては、下流側下ベルト４９を押し上げることにより、対をなす下流側上ベルト３９と下流側下ベルト４９とで折丁１を拘持させるように下流側上ベルト３９に対して下流側下ベルト４９を接近移動させるようにしたが、他の実施形態として、例えば、下流側上ベルト３９を押し下げることにより、対をなす下流側上ベルト３９と下流側下ベルト４９とで折丁１を拘持させるように下流側下ベルト４９に対して下流側上ベルト３９を接近移動させることや、下流側上ベルト３９を押し下げると共に下流側下ベルト４９を押し上げることにより、対をなす下流側上ベルト３９と下流側下ベルト４９とで折丁１を拘持させるように下流側下ベルト４９と下流側上ベルト３９とを接近移動させることも可能である。